(57)【要約】【目的】家の中でペット（この場合は特に犬を示す）を飼う場合、排便後のお尻回り付いた糞を、洗浄し、家の中に入れることで糞の臭い、衛生面を解決出来るようにする。【構成】ペットボトル容器のネジ部に締結できるように円筒形状のキャップの内径にネジ部を設け、キャップの仕切り面の中心を基準に複数の穴を開ける。キャップの仕切り面に接する穴選択プレートがキャップの仕切り面に設けられた穴との位置関係に穴を用意し、キャップの内径に収まり抜け落ちないように溝等で考慮されている。キャップの溝などに収まっている穴選択プレートがキャップの中心軸を中心に回転することができ、穴選択プレートを回転してキャップの中心穴を残して他の穴をふさぐことができ、水が入ったペットボトル容器の側面に圧力を加えると、水はキャップの中心穴を通り穴選択プレートの中心穴を抜けて放水できる。又、穴選択プレートを回転して、複数穴を選択することでシャワーとして放水できる。【選択図】  図６
2005312419.tif 000002
【特許請求の範囲】
【請求項１】
市販されている清涼飲料水のペットボトルのネジ部に、取付可能なネジ部を有したキャップに孔を一ヶ所又は複数個空け、ペットボトルに水を入れ用意し、ペットが糞をした後にペットボトルに手で圧力を加え、ペットのお尻をペットボトルから飛び出した水で洗浄するペットお尻洗浄具。
【請求項２】
請求項１のキャップに孔の数が一ヶ所の場合と複数個の場合に使用時に応じ、回転して孔の数を選択出来るよう選択リングを付帯させたペットお尻洗浄具。
【請求項３】
上記請求項１〜２において、ペットボトルに水を入れ、移動中などに水などが漏れ出さないように、蓋を出来るようにしたペットお尻洗浄具。
【請求項４】
市販されている清涼飲料水のペットボトルのネジ部と上記請求項１〜３のいずれか１の間に雌ネジ（又は、雄ネジ）をペットボトルに、雄ネジ（又は、雌ネジ）は上記ペットお尻洗浄具に取付可能なアダプターを用いて接合可能にしたペットお尻洗浄具。
【請求項５】
市販されている清涼飲料水のペットボトル以外の容器、例えば、ポリエチレン容器等柔らかい素材を使用した容器のネジ部を利用して上記請求項のペットお尻洗浄具を取付けることが可能なペットお尻洗浄具。
【請求項６】
上記請求項１〜３において、専用の容器を用いペットお尻洗浄具を具備することを特徴したペットお尻洗浄具。
【請求項７】
市販されている清涼飲料水のペットボトルのネジ部を介してペットボトルに配置可能な吸液管、その吸液管を介して吐出口から内容物を吐出させる操作部及び前記吸液管をペットボトルに入れた状態でネジ部に着脱自由に連結される吐出機構を特徴とするペットお尻洗浄具。
【請求項８】
市販されている清涼飲料水のペットボトル以外の容器、例えば、専用にプラスチックス等の素材を利用した軽い容器又は、市販されているポリエチレンの容器等のネジ部を利用して、上記請求項７の吐出機構を連結できることを特徴としたペットお尻洗浄具。
【請求項９】
市販されている清涼飲料水のペットボトルのネジ部と連結される吐出機構の間にペットボトルのネジ部に連結できるネジ部を有し、他方に吐出機構と連結できるネジ部を有した筒状のアダプター部材であって、ペットボトルと吐出機構とアダプター部材を介して連結できることを特徴としたペットお尻洗浄具。
【発明の詳細な説明】
【技術分野】
【０００１】  本発明は、ペットお尻洗浄具に関し、容器に水を入れペットのお尻を洗浄する洗浄具に関する。
【背景技術】
【０００２】  ペット、主に犬を排尿、排便を目的に散歩に外に連れ出す。又、単に散歩に外に連れ出した場合に於いても、必ずと言っていいくらいに排尿、排便を行う。特に室内で飼っているペットには、排便の後ティシュペーパーでお尻を拭く作業が多く行われている。【０００３】  ペットのお尻をティシュペーパーで拭いても、又、ペットのお腹の調子によって、便が綺麗にふき取れない。且つ、一見綺麗に拭き取れたとしても便の臭いが残り、その状態で室内に入り、部屋に臭気が漂い、不衛生な問題があった。
【発明の開示】
【発明が解決しようとする課題】
【０００４】  解決しようとする問題点は、容器に水を入れ、散歩時に携帯し、又、家に入る前に洗浄できるように入口に用意して置き、散歩の途中において、ペットが排便した後に、局部に水をかけて、局部を洗浄する。又、散歩が終わり、家の中に入れる際に用意しておいた容器の水で局部を洗浄できるように、上述の従来の問題を解決したものである。
【課題を解決するための手段】
【０００５】  本発明は、市販されている清涼飲料水のペットボトル、柔らかい素材で出来たプラスチック、例えば、ポリエチレンなどの容器に、ネジ部を利用して穴を開けたネジキャップを連結、又は、吐出機構を連結して容器内部の水を注水できるようにした。
【発明の効果】
【０００６】  年々、都会ではペット（この場合特に犬を云う）を家の中で飼うことが増えている。ペットを散歩に連れ出す目的は、運動をさせることであるが、必ず、と言っていい位に、排尿、排便をする。ペットボトル容器等に水を入れペット洗浄具を取り付けたものを携帯し、排便した後に局部及び周辺に付着している糞をペット洗浄具の穴から放水して洗浄することで臭い、不衛生さが解消される効果を有する。
【発明を実施するための最良の形態】
【０００７】本発明を実施するための最良の形態については、図６を引用して説明すると、ペットボトル容器１のネジ部４に締結できるように円筒形状のキャップ１２の内径にネジ部４‘を設け、キャップ１２の仕切り面１３の中心を基準に複数の穴１４，１５を開ける。キャップ１２の仕切り面１３に接する穴選択プレート１６がキャップ１２の仕切り面１３に設けられた穴１４，１５との位置関係に穴１１，１７を用意し、キャップ１２の内径に収まり抜け落ちないように溝等で考慮されている。【０００８】キャップ１２の溝などに収まっている穴選択プレート１６がキャップ１２の中心軸を中心に回転することができ、穴選択プレート１６を回転してキャップ１２の中心穴１４を残して他の穴１５をふさぐことができ、水６が入ったペットボトル容器１の側面に指で圧力を加えると、水７はキャップ１２の中心穴１４を通り穴選択プレート１６の中心穴１１を抜けて放水できる。又、穴選択プレート１６を回転し、複数穴を選択することでシャワーとして放水できる。
【実施例１】
【０００９】  図１は市販されている清涼飲料水用のペットボトル容器１で、一例の斜視図である。図２は市販されているポリエチレン容器２で、一例の斜視図である。【００１０】  図３は請求項１に係わるペットお尻洗浄具３の一例の斜視図であり、図３はペットボトル容器１に指で圧力を加え、ペットお尻洗浄具３の穴６から水７を放水している斜視図の一例である。図４はその断面図である。このお尻洗浄具３はペットボトル容器１のネジ部４にキャップ５のネジ部４‘にて連結し、キャップ５には１〜複数個の穴６が設けられている。ペットボトル容器１に水７を入れ、ペットを散歩に連れ出す時に携帯し、ペットが排便した後に、水７の入っているペットボトル容器１を局部に向けて、ペットボトル容器１の側面に圧力を加え、キャップ５の穴６から局部に向けて水７が放水され、局部の汚れを洗い流す。この場合の圧力を想定して、穴６の大きさ、穴６の数量を決め、局部に刺激が強くないように考慮することは明白である。
【実施例２】
【００１１】  図５は請求項２に係わるペットお尻洗浄具１０の一例の斜視図であり、図６は穴１１を１ヶ所に選択した一例の断面図、図７は穴１１を複数個に選択した一例の断面図である。【００１２】  図６はペットボトル容器１のネジ部４に締結できるように円筒形状のキャップ１２の内径にネジ部４‘を設け、キャップ１２の仕切り面１３の中心を基準に複数の穴１４、１５を開ける。キャップ１２の仕切り面１３に接する穴選択プレート１６がキャップ１２の仕切り面１３に設けられた穴１４、１５との位置関係に穴１１、１７を用意し、キャップ１２の内径に収まり抜け落ちないように溝等で考慮されている。キャップ１２の溝などに収まっている穴選択プレート１６がキャップ１２の中心軸を中心に回転することができ、穴選択プレート１６を回転してキャップ１２の中心穴１４を残して他の穴１５をふさぐことができ、水６が入ったペットボトル容器２の側面に圧力を加えると、水７はキャップ１２の中心穴１４を通り穴選択プレート１６の中心穴１１を抜けて放水できる。穴選択プレート１６の位置が動かないように半固定にすることは容易である。【００１３】  図７は上述の穴選択プレート１６を回転して、キャップ１２の仕切り面１３の穴１４，１５と穴選択プレート１６の穴１１，１７と合わせる。水７の入ったペットボトル容器１の側面に圧力を加えると、水７はキャップ１２の穴１４，１５を通り穴選択プレート１３の穴１１、１７を抜けてシャワー放水ができる。穴選択プレート１６の位置が動かないように半固定にすることは容易である。
【実施例３】
【００１４】  図８は請求項１〜２に係わる、ペットお尻洗浄具３，１０に水漏れを防ぐ蓋をつけたペットお尻洗浄具２０の一例であるが、特に請求項２の図５を引用した断面図である。【００１５】  図８のキャップ２１と蓋２２が分離しないように成型、又、それぞれが別部品として成型され連結され、穴選択プレート１３から水７が漏れる可能性が有り、それを防ぐために蓋２２をキャップ１２に被せる。ペットのお尻を洗浄するときは、蓋２２を外し、穴選択プレート１３で穴１１，１７を選択しペットボトル容器１の側面に圧力を加えると、水７はキャップ１２の穴１４，１５を通り穴選択プレート１３が選択した穴１１、１７を抜けて放水できる。使用後は蓋２２をキャップ１２に被せる。
【実施例４】
【００１６】  図９は請求項４に係わるアダプターを用いたペットお尻洗浄具３０の一例の断面図である。【００１７】  ペットボトル容器１のネジ部４はメーカによって違う場合がある。ペットボトル容器１とキャップ１２をアダプター３１を介して締結できるようにした。アダプター３１の一端をペットボトル容器１のネジ部３２に合う雌ネジ３２‘が形成され、他方にキャップ１２のネジ部４‘に合うネジ部４を形成している。【００１８】  ペットボトル容器１のネジ部３２とキャップ１２のネジ部４‘が合わない場合にアダプター３２を用いて締結ができるようにしたペットお尻洗浄具３０である。
【実施例４】
【００１９】  図１０は請求項５に係わるペットお尻洗浄具４０の一例の断面図である。
既製品で販売されているポリエチレン容器などの柔らかい素材を使用した容器４１のネジ部４２に、請求項１〜３記載の大きさの相違は有るが何れか１に記載と同等のものが締結できるペットお尻洗浄具４０。
【実施例５】
【００２０】  図１１は請求項６に係わるペットお尻洗浄具５０の一例の断面図である。お尻洗浄用の専用の形、水の容量、容器に圧力を加え易く等を考慮した専用容器５１のネジ部５２に締結できる請求項１〜３記載の何れか１に記載のペットお尻洗浄具５０。
【実施例５】
【００２１】  図１２は請求項７に係わるペットお尻洗浄具６０の一例の斜視図である。市販されている清涼飲料水のペットボトル容器１のネジ部４に吐出機構６１を締結したもので、吐出機構６１はペットボトル容器１内に吸液管、該吸液管６２を介して吐出口６３からペットボトル容器１内の水７を吐出させる操作部６４及び前記吸液管６２をペットボトル容器１内に位置させた状態でネジ部４に吐出機構６１のネジ部４‘と締結できるようにしたペットお尻洗浄具６０．吐出口６３は１又は複数の穴６５を開けてあるが、水７を霧状の細かさにするものではない。なぜならば、局部の汚れに対して、勢いのある吐出が必要である為。【００２２】  前記吐出機構６１はガン式スプレー機構、フィンガースプレイー機構のいずれかを用いることは可能である。
【実施例６】
【００２３】  図１３は請求項８に係わるペットお尻洗浄具６８の一例の斜視図である。既製品で販売されているポリエチレン容器などの柔らかい素材を使用した容器４１のネジ部６６に、且つ、吐出機構６１のネジ部４を締結する取付キャップ６７にネジ部４’、６６を設け締結する。前記、請求項７吐出機構と同様な機能をもったペットお尻洗浄具６８。
【実施例７】
【００２４】  図１４は請求項９に係わるアダプターを用いたペットお尻洗浄具７０の一例の断面図である。【００２５】  ペットボトル容器１のネジ部４はメーカによって違う場合がある。ペットボトル容器１と吐出機構６１の締結キャップ７１にアダプター７２を介して締結できるようにした。アダプター７２の一端をペットボトル容器１のネジ部４に合う雌ネジ４‘が形成され、他方に締結キャップ７１のネジ部７３に合うネジ部７３’を形成している。【００２６】  ペットボトル容器１のネジ部４と締結キャップ７１のネジ部７３が合わない場合にアダプター７２を用いて締結ができるようにしたペットお尻洗浄具７０。
【図面の簡単な説明】
【００２７】
【図１】市販されている清涼飲料水のペットボトル容器で、一例の斜視図
【図２】市販されているポリエチレン容器の一例の斜視図
【図３】請求項１に係わるペットお尻洗浄具の一例の斜視図
【図４】請求項１に係わるペットお尻洗浄具の一例の断面図
【図５】請求項２に係わるペットお尻洗浄具の一例の斜視図
【図６】請求項２に係わるペットお尻洗浄具の一例の断面図
【図７】請求項２に係わるペットお尻洗浄具の一例の断面図
【図８】請求項３に係わるペットお尻洗浄具の一例の断面図
【図９】請求項４に係わるペットお尻洗浄具の一例の断面図
【図１０】請求項５に係わるペットお尻洗浄具の一例の断面図
【図１１】請求項６に係わるペットお尻洗浄具の一例の断面図
【図１２】請求項７に係わるペットお尻洗浄具の一例の断面図
【図１３】請求項８に係わるペットお尻洗浄具の一例の断面図
【図１４】請求項９に係わるペットお尻洗浄具の一例の断面図
【符号の説明】
【００２８】１．  ペットボトル容器
２．  ポリエチレン容器
３．  ペットお尻洗浄具
４．  ネジ部
４‘  ネジ部
５．  キャップ
６．  穴
７．  水
１０．ペットお尻洗浄具
１１．中心穴
１２．キャップ
１３．仕切り面
１４．穴
１５．穴
１６．穴選択プレート
２０．ペットお尻洗浄具
２１．キャップ
２２．蓋
３０．ペットお尻洗浄具
３１．アダプター
３２．ネジ部
３２‘．雌ネジ
４０．ペットお尻洗浄具
４１．容器
４２．ネジ部
５０．ペットお尻洗浄具
５１．専用容器
５２．ネジ部
６０．ペットお尻洗浄具
６１．吐出機構
６２．吸液管
６３．吐出口
６４．操作部
６５．穴
６６．ネジ部
６６‘．ネジ部
６７．取付キャップ
６８．ペットお尻洗浄具
７０．ペットお尻洗浄具
７１．締結キャップ
７２．アダプター
７３．ネジ部
７３‘．ネジ部
【図１】
2005312419.tif 000003
【図２】
2005312419.tif 000004
【図３】
2005312419.tif 000005
【図４】
2005312419.tif 000006
【図５】
2005312419.tif 000007
【図６】
2005312419.tif 000008
【図７】
2005312419.tif 000009
【図８】
2005312419.tif 000010
【図９】
2005312419.tif 000011
【図１０】
2005312419.tif 000012
【図１１】
2005312419.tif 000013
【図１２】
2005312419.tif 000014
【図１３】
2005312419.tif 000015
【図１４】
2005312419.tif 000016